(57)【要約】【課題】無線周辺機器の動的構成を提供する。【解決手段】ゲートウェイとのネットワーク接続を確立するための周辺機器が開示され、要求モジュール及び構成論理を含む。要求モジュールは、識別要求を送信し、識別要求を送信したことに応答して、認証符号を受信する。認証符号は、ゲートウェイの所定の設定を示すデータを含む。構成論理は、周辺機器のメモリ内に格納された複数の構成とデータ通信状態にある。要求モジュールから所定の設定を受信したことに応答して、構成論理は、複数の構成から、ゲートウェイの所定の設定に対応する一組の属性を定める特定の構成を選択する。また、一度特定の構成が選択されると、構成論理は、特定の構成をアクティブにする。また、構成論理は、無線通信プロトコルに基づいて、ゲートウェイとのネットワーク接続を確立する。【選択図】図１
2016119658.tif 000002
【特許請求の範囲】
【請求項１】
ゲートウェイとのネットワーク接続を確立するための周辺機器であって、
識別要求を送信し、前記識別要求を送信したことに応答して、前記ゲートウェイの所定の設定を示すデータを含む認証符号を受信するための要求モジュールと、
前記周辺機器のメモリ内に格納された複数の構成とデータ通信状態にある構成論理と、
を含み、前記要求モジュールから前記所定の設定を受信したことに応答して、前記構成論理は、
前記複数の構成から、前記ゲートウェイの前記所定の設定に対応する一組の属性を定める特定の構成を選択し、
前記特定の構成をアクティブにし、
無線通信プロトコルに基づいて、前記ゲートウェイとのネットワーク接続を確立し、前記ゲートウェイとの通信は、前記特定の構成によって定められた前記属性の組に従う、周辺機器。
【請求項２】
前記所定の設定は、前記ゲートウェイの製造業者及び型番に特有のものである、請求項１に記載の周辺機器。
【請求項３】
前記周辺機器は、メモリ内にデータストアを含み、前記データストアは、前記複数の構成の各々の関連付けられた製造業者及び関連付けられた型番を含むルックアップテーブルを含む、請求項２に記載の周辺機器。
【請求項４】
前記周辺機器は照明器具であり、前記ゲートウェイの前記所定の設定に対応する前記属性の組は、前記照明器具がネットワークに入るときの動作、前記照明器具が前記ネットワークから離れるときの動作、及び調光移行速度のうちの少なくとも１つを含む、請求項１に記載の周辺機器。
【請求項５】
前記識別要求は、前記ゲートウェイの標準的に入手可能なクラスタと関連付けられた属性の要求、前記ゲートウェイのノードデスクリプタの要求、及び前記ゲートウェイのソフトウェアＩＤの要求のうちの１つを含む、請求項１に記載の周辺機器。
【請求項６】
前記周辺機器を無線信号と接続するための接続信号を生成する接続モジュールをさらに含み、前記無線信号は前記無線通信プロトコルに基づくものである、請求項１に記載の周辺機器。
【請求項７】
前記接続モジュールは、ネットワーク識別子を要求する前記ゲートウェイへの要求を生成する、請求項６に記載の周辺機器。
【請求項８】
前記接続モジュールから前記ネットワーク識別子を含む信号を受信するネットワークモジュールをさらに含み、前記ネットワークモジュールは、前記ゲートウェイへの認証要求を生成する、請求項６に記載の周辺機器。
【請求項９】
エンコードして、方法を実施するよう制御モジュールに命令するコンピュータ解釈可能命令を含む不揮発性コンピュータ可読媒体であって、前記方法は、
ゲートウェイの所定の設定を示すデータについて問い合わせる識別要求を送信するステップと、
前記識別要求を送信したことに応答して、前記ゲートウェイの前記所定の設定を示すデータを含む認証信号を受信するステップと、
前記認証信号を受信したことに応答して、前記制御モジュールのメモリ内に格納され、前記ゲートウェイの前記所定の設定に特有の一組の属性を定める特定の構成を選択するステップと、
前記特定の構成が選択されたことに応答して、前記制御モジュール内の前記特定の構成をアクティブにするステップと、
無線通信プロトコルに基づいて、前記ゲートウェイとのネットワーク接続を確立するステップと、
を含み、前記ゲートウェイとの通信は、前記特定の構成によって定められた前記属性の組に従う、不揮発性コンピュータ可読媒体。
【請求項１０】
前記所定の設定は、前記ゲートウェイの製造業者及び型番に特有のものである、請求項９に記載の不揮発性コンピュータ可読媒体。
【請求項１１】
複数の構成が前記制御モジュールの前記メモリ内に格納され、前記複数の構成の各々は、前記ゲートウェイデバイスの特定の製造業者及び特定の型番に特有の属性を定める、請求項１０に記載の不揮発性コンピュータ可読媒体。
【請求項１２】
前記特定の構成を選択するステップは、前記制御モジュールの前記メモリ内に配置されたデータストア内で検索を行うことを含む、請求項１１に記載の不揮発性コンピュータ可読媒体。
【請求項１３】
前記データストアは、前記複数の構成の各々の関連付けられた製造業者及び関連付けられた型番を含むルックアップテーブルを含む、請求項１２に記載の不揮発性コンピュータ可読媒体。
【請求項１４】
前記制御モジュールは照明器具の一部であり、前記ゲートウェイの前記所定の設定に特有の前記属性の組は、前記照明器具がネットワークに入るときの動作、前記照明器具が前記ネットワークから離れるときの動作、及び調光移行速度のうちの少なくとも１つを含む、請求項９に記載の不揮発性コンピュータ可読媒体。
【請求項１５】
前記識別要求は、前記ゲートウェイの標準的に入手可能なクラスタと関連付けられた属性の要求、前記ゲートウェイのノードデスクリプタの要求、及び前記ゲートウェイのソフトウェアＩＤの要求のうちの１つを含む、請求項９に記載の不揮発性コンピュータ可読媒体。
【請求項１６】
周辺機器の制御モジュールにより、ゲートウェイの所定の設定を示すデータについて問い合わせる識別要求を送信するステップと、
前記識別要求を送信したことに応答して、前記制御モジュールにより、前記ゲートウェイの前記所定の設定を示すデータを含む認証信号を受信するステップと、
前記認証信号を受信したことに応答して、前記制御モジュールにより、前記制御モジュールのメモリ内に格納され、前記ゲートウェイの前記所定の設定に特有の一組の属性を定める特定の構成を選択するステップと、
前記特定の構成が選択されたことに応答して、前記制御モジュール内の前記特定の構成をアクティブにするステップと、
無線通信プロトコルに基づいて、前記ゲートウェイとのネットワーク接続を確立するステップと、
を含み、前記ゲートウェイとの通信は、前記特定の構成によって定められた前記属性の組に従う、方法。
【請求項１７】
前記所定の設定は、前記ゲートウェイの製造業者及び型番に特有のものである、請求項１６に記載の方法。
【請求項１８】
前記制御モジュールの前記メモリ内に複数の構成を格納するステップを含み、前記複数の構成の各々は、前記ゲートウェイデバイスの特定の製造業者及び特定の型番に特有の属性を定める、請求項１７に記載の方法。
【請求項１９】
前記特定の構成を選択するステップは、前記制御モジュールの前記メモリ内に配置されたデータストア内で検索を行うことを含む、請求項１６に記載の方法。
【請求項２０】
前記データストアは、前記複数の構成の各々の関連付けられた製造業者及び関連付けられた型番を含むルックアップテーブルを含む、請求項１９に記載の方法。
【請求項２１】
前記制御モジュールは照明器具の一部であり、前記ゲートウェイの前記所定の設定に対応する前記属性の組は、前記照明器具がネットワークに入るときの動作、前記照明器具が前記ネットワークから離れるときの動作、及び調光移行速度のうちの少なくとも１つを含む、請求項１６に記載の方法。
【請求項２２】
前記識別要求は、前記ゲートウェイの標準的に入手可能なクラスタと関連付けられた属性の要求、前記ゲートウェイのノードデスクリプタの要求、及び前記ゲートウェイのソフトウェアＩＤの要求のうちの１つを含む、請求項１６に記載の方法。
【請求項２３】
前記周辺機器と前記ゲートウェイとの間に前記ネットワーク接続が確立されたことに応答して、前記ゲートウェイにより、関連付けられた製造業者及び関連付けられた型番について前記制御モジュールに問い合わせを行う質問要求を送信するステップを含む、請求項１６に記載の方法。
【請求項２４】
前記制御モジュールの前記関連付けられた製造業者及び前記関連付けられた型番を取得し、前記ゲートウェイに返す前記制御モジュールの前記関連付けられた製造業者及び前記関連付けられた型番を示す応答を生成するステップを含む、請求項２３に記載の方法。
【請求項２５】
前記制御モジュールの前記関連付けられた製造業者及び前記関連付けられた型番を前記ゲートウェイのメモリ内に格納するステップを含む、請求項２４に記載の方法。
【請求項２６】
前記ゲートウェイは、コンピュータネットワークと通信状態にあり、前記コンピュータネットワークはサーバを含む、請求項２５に記載の方法。
【請求項２７】
前記サーバにより、前記ゲートウェイのメモリ内の前記制御モジュールの前記関連付けられた製造業者及び前記関連付けられた型番を要求する前記ゲートウェイへの要求を、特定の頻度で生成するステップを含む、請求項２６に記載の方法。
【発明の詳細な説明】
【技術分野】
【０００１】
本開示は、一般に、周辺機器のための動的構成(dynamic configuration)に関し、より具体的には、ゲートウェイの所定の設定に基づいて、周辺機器を動的に構成することに関する。
【背景技術】
【０００２】
無線照明制御システムは、無線周波数（ＲＦ）通信を利用して、制御信号を、照明器具内に取り付けられたアンテナ素子に伝えることができる。例えば、ユーザは、無線制御を用いて、照明をオンにする、オフにする、又は調光することが可能である。具体的には、ユーザは、例えば照明器具内に位置するアンテナ素子と通信するために、無線制御能力を含む、スマートフォン又はタブレットコンピュータなどの携帯用電子デバイスを使用することができる。
【０００３】
家庭、オフィス、又は他の建物は、一般的に、照明用の多数の照明器具を含む。照明器具は、ユーザの携帯用電子デバイスと照明器具との間の無線通信を可能にするゲートウェイに接続することができる。ゲートウェイは、携帯用電子デバイスを照明器具に無線で接続するのに用いられる電子デバイスである。具体的には、ゲートウェイは、例えば、Ｂｌｕｅｔｏｏｔｈ（登録商標）ｌｏｗ  ｅｎｅｒｇｙ（ＢＬＥ）、又はＺｉｇＢｅｅ（登録商標）などの任意の数の低出力無線通信プロトコルを用いて、照明器具に無線で接続することができる。
【発明の概要】
【発明が解決しようとする課題】
【０００４】
照明の製造業者は、現在のところ、単一の無線プロトコル、及び、特定の製造業者によって作製された単一のタイプのゲートウェイデバイスとしか適合しない照明器具を製造している。換言すれば、現在入手可能な照明器具は、一般的に、特定の無線プロトコル（すなわち、ＺｉｇＢｅｅ（登録商標））を用いて、及び、単一の製造業者によって製造された特定の型番（ｍｏｄｅｌ  ｎｕｍｂｅｒ）のゲートウェイデバイスと無線で接続される能力しか有してない。結果として、エンドユーザは常に、１つの特定の無線プロトコル及びゲートウェイデバイスとだけ適合する専用の電球を購入する必要がある。
【課題を解決するための手段】
【０００５】
１つの実施形態において、周辺機器が、開示され、要求モジュール及び構成論理(configuration logic)を含む。要求モジュールは、識別要求を送信し、識別要求を送信したことに応答して、認証符号を受信する。認証符号は、ゲートウェイの所定の設定を示すデータを含む。構成論理は、周辺機器のメモリ内に格納された複数の構成(configuration)とデータ通信状態にある。要求モジュールから所定の設定を受信したことに応答して、構成論理は、複数の構成から、ゲートウェイの所定の設定に対応する一組の属性を定める特定の構成を選択する。ひとたび特定の構成が選択されると、構成論理はまた、特定の構成をアクティブにする。構成論理はまた、無線通信プロトコルに基づいて、ゲートウェイとのネットワーク接続を確立する。ゲートウェイとの通信は、特定の構成によって定められた属性の組に従う。
【０００６】
別の実施形態において、エンコードして方法を実施するよう制御モジュールに命令するコンピュータ解釈可能命令を含む不揮発性コンピュータ可読媒体が開示される。本方法は、ゲートウェイの所定の設定を示すデータについて問い合わせる識別要求を送信することを含む。本方法はまた、識別要求を送信したことに応答して、認証信号を受信することを含む。認証信号は、ゲートウェイの所定の設定を示すデータを含む。本方法は、認証信号を受信したことに応答して、特定の構成を選択することをさらに含む。特定の構成は、制御モジュールのメモリ内に格納され、ゲートウェイの所定の設定に特有の一組の属性を定める。本方法はまた、特定の構成が選択されたことに応答して、制御モジュール内の特定の構成をアクティブにすることを含む。最後に、本方法は、無線通信プロトコルに基づいて、ゲートウェイとのネットワーク接続を確立することを含む。ゲートウェイとの通信は、特定の構成によって定められた属性の組に従う。
【０００７】
さらに別の実施形態において、方法が開示される。本方法は、周辺機器の制御モジュールにより、ゲートウェイの所定の設定を示すデータについて問い合わせる識別要求を送信することを含む。本方法はまた、識別要求を送信したことに応答して、制御モジュールにより、認証信号を受信することも含む。認証信号は、ゲートウェイの所定の設定を示すデータを含む。本方法は、認証信号を受信したことに応答して、制御モジュールにより、特定の構成を選択することをさらに含む。特定の構成は、制御モジュールのメモリ内に格納され、ゲートウェイの所定の設定に特有の一組の属性を定める。本方法はまた、特定の構成が選択されたことに応答して、制御モジュール内の特定の構成をアクティブにすることを含む。最後に、本方法は、無線通信プロトコルに基づいて、ゲートウェイとのネットワーク接続を確立することを含む。ゲートウェイとの通信は、特定の構成によって定められた属性の組に従う。
【図面の簡単な説明】
【０００８】
【図１】無線ネットワークを通じてゲートウェイに接続された複数の周辺機器を含む例示的な制御システムの図である。
【図２】図１に示される制御システムのブロック図である。
【図３】図１に示される周辺機器の選択されたもののブロック図である。
【図４Ａ】周辺機器についての特定の構成を選択する方法を示す例示的なプロセス図である。
【図４Ｂ】周辺機器についての特定の構成を選択する方法を示す例示的なプロセス図である。
【図５Ａ】光記憶装置の平面図である。
【図５Ｂ】不揮発性メモリチップの平面図である。
【図５Ｃ】不揮発性記憶装置の平面図である。
【図５Ｄ】ハードディスクドライブの斜視図である。
【発明を実施するための形態】
【０００９】
以下の詳細な説明は、本発明の一般的な原理を示すものであり、その例をさらに添付図面に示す。図面において、同様の参照番号は、同一の又は機能的に類似する要素を示す。
【００１０】
図１は、例示的な制御システム１０の例示的なブロック図である。制御システム１０は、携帯用電子デバイス２０、ルータ２２、ゲートウェイ２４、及び１つ又は複数の周辺機器３０を含むことができる。以下でより詳細に説明されるように、周辺機器３０は、携帯用電子デバイス２０によって遠隔制御することができる。例えば、図１に示される実施形態において、周辺装置３０は照明器具である。携帯用電子デバイス２０は、色（例えば、赤色、青色、又は緑色の照明）、調光(dimming)、又は照明器具への電源を制御するように、ユーザによって操作することができる。しかしながら、以下でより詳細に説明されるように、図１は事実上単なる例示に過ぎず、周辺機器３０は照明器具に限定されないことを理解されたい。
【００１１】
携帯用電子デバイス２０は、無線周波数（ＲＦ）信号を送受信することができる任意のタイプの電子デバイスとすることができる。とりわけ、１つの限定されない実施形態において、携帯用電子デバイス２０は、短距離ＲＦ信号３２によりルータ２２と通信することができる。例えば、ＲＦ信号３２は、米国電気電子学会（ＩＥＥＥ）８０２．１１標準に基づくＷｉ−Ｆｉ信号とすることができる。携帯用電子デバイス２０は、例えば、スマートフォン又はタブレットコンピュータなどの手持ち式電子デバイスとすることができる。別の実施形態において、携帯用電子デバイス２０は、ラップトップコンピュータ、パーソナルコンピュータ、又は自動車などの車両とすることができる。
【００１２】
携帯用電子デバイス２０は、ユーザが入力を行うことを可能にするユーザインターフェースを含むことができる。携帯用電子デバイス２０はまた、ユーザに見える画像を生成するディスプレイを含むことができる。図示されるような限定されない実施形態においては、ユーザインターフェース及びディスプレイが互いに組み合わされてタッチスクリーン３４となる。しかしながら、図に示されるような実施形態は、事実上単なる例示に過ぎず、別個のユーザインターフェース及びディスプレイも同様に使用することができることが理解される。
【００１３】
ルータ２２は、携帯用電子デバイス２０をゲートウェイ２４と無線で接続することができる。具体的には、ルータ２２は、ＲＦ信号３２により携帯用電子デバイス２０及びゲートウェイ２４の両方と無線通信することができる。ルータ２２はまた、ネットワーク接続４２を通じてワールドワイドブウェブ（ＷＷＷ）とも呼ばれる世界的規模のコンピュータネットワーク４０と通信することができる。ネットワーク接続４２は、有線接続（例えば、イーサネット(登録商標)接続）又は無線接続のいずれかとすることができる。コンピュータのネットワーク４０は、サーバ４４を含むことができる。ルータ２２は、制御システム１０をコンピュータネットワーク４０及びサーバ４４と接続する。
【００１４】
ゲートウェイ２４は、ＲＦ信号３２によりルータ２２と、同様に第２のＲＦ信号５０により周辺機器３０の各々と無線で接続するためのいずれかのタイプのデバイスとすることができる。１つの実施形態において、第２のＲＦ信号５０は、これらに限定されるものではないが、Ｂｌｕｅｔｏｏｔｈ（登録商標）ｌｏｗ  ｅｎｅｒｇｙ（ＢＬＥ）又はＺｉｇＢｅｅ（登録商標）、ＷｉｒｅｌｅｓｓＨＡＲＴ（登録商標）又は６ＬｏＷＰＡＮなどの低出力無線通信プロトコルに従う。ゲートウェイ２４及び周辺機器３０は、無線ネットワーク５２を含む。例えば、ＢＬＥプロトコルが用いられる場合、無線ネットワーク５２は、パーソナル・エリア・ネットワーク（ＰＡＮ）とすることができる。或いは、別の実施形態においては、ＺｉｇＢｅｅ（登録商標）が用いられる場合、無線ネットワーク５２は、メッシュネットワークとすることができる。ゲートウェイ２４は、無線ネットワーク５２内の親ノードとして働き、周辺機器３０との無線ネットワーク５２の形成を検証するために用いられ、以下でより詳細に説明される。
【００１５】
図１に示すような例示的な実施形態において、周辺機器３０は可視光を発する照明器具である。具体的には、照明器具は、これらに限定されるものではないが、ＬＥＤ灯、白熱灯、コンパクト形蛍光灯（ＣＦＬ）、ガス放電灯などの可視光を発する任意のタイプの照明器具とすることができる。周辺機器３０は各々、ＲＦ信号を送受信するための対応するアンテナ素子１０２（図２に示される）を含むことができる。とりわけ、アンテナ素子１０２は、無線ネットワーク５２を介して、対応する周辺機器３０をゲートウェイ２４と接続するために使用することができる。照明器具が図１に示されるが、この例証は事実上単なる例示に過ぎず、周辺機器３０は、無線ネットワーク５２と通信するためのアンテナ素子を含む任意のタイプのデバイスとすることができることを理解されたい。例えば、代替的な実施形態において、周辺機器３０は、占有センサ(occupancy sensor)又は無線電源プラグとすることができる。
【００１６】
携帯用電子デバイス２０を用いてユーザからの入力を受け取ることができる。ユーザから受け取った入力は、最終的には周辺機器３０を制御するために用いられる。ここで図２を参照すると、携帯用電子デバイス２０は、制御モジュール６０及びアンテナ６２を含む。本明細書で用いられるように、モジュールという用語は、特定用途向け集積回路（ＡＳＩＣ）、電子回路、組み合わせ論理回路、フィールドプログラマブルゲートアレイ（ＦＰＧＡ）、コードを実行するハードウェア若しくはソフトウェアを有するプロセッサ（共有、専用又はグループ）、説明された機能を提供する他の適切なコンポーネント、若しくはシステム・オン・チップのような上述の幾つか若しくは全ての組み合わせを指すことができるか、その一部とすることができるか、又はそれを含むことができる。モジュールという用語は、プロセッサにより実行されるコードを格納するメモリ（共有、専用又はグループ）を含むことができる。
【００１７】
携帯用電子デバイス２０のアンテナ素子６２は、制御モジュール６０と通信することができる。携帯用電子デバイス２０のアンテナ素子６２は、ＲＦ信号３２をルータ２２との間で送受信することができる。１つの実施形態において、アプリケーション７０は、携帯用電子デバイス２０のメモリにダウンロードすることができる。アプリケーション７０を用いて、携帯用電子デバイス２０による無線ネットワーク５２内の周辺機器３０の無線制御を可能にすることができる。具体的には、携帯用電子デバイス２０のメモリに格納されたアプリケーション７０は、携帯用電子デバイス２０の制御モジュール６０によって実行可能であり、かつ携帯用電子デバイス２０が無線ネットワーク５２内の周辺機器３０を制御することを可能する、内部に格納された１又は複数の命令を含むことができる。例えば、周辺機器３０が照明器具である場合、携帯用電子デバイス２０のメモリに格納されたアプリケーション７０は、照明器具の色、調光又は電源を制御することができる。
【００１８】
ルータ２２はまた、制御モジュール８０及びアンテナ素子８２も含む。ルータ２２のアンテナ素子８２は、ＲＦ信号３２を、携帯用電子デバイス２０及びゲートウェイ２４の両方との間で送受信することができる。引き続き図２を参照すると、ゲートウェイ２４は、１つ又は複数の制御モジュール９０と、第１のアンテナ素子９２と、第２のアンテナ素子９４とを含む。説明を容易かつ単純にするために、ゲートウェイ２４は、単一の制御モジュール９０を有するものとして示されるが、当業者であれば、複数の制御モジュールを同様に用い得ることを容易に理解するであろう。ゲートウェイ２４の第１のアンテナ素子９２は、ＲＦ信号３２を、ルータ２２のアンテナ素子８２との間で送受信することができる。第２のアンテナ素子９４は、１又は複数のＲＦ信号５０を、周辺機器３０の各々との間で送受信することができる。
【００１９】
制御モジュール９０は、ネットワーク信号を、無線ネットワーク５２への参加を試みる１つ又は複数の周辺機器３０に送信するための制御論理を含む。具体的には、ネットワーク信号は、ネットワーク識別子を含む。ネットワーク識別子は、無線ネットワーク５２を示す。例えば、１つの実施形態において、ネットワーク識別子は、ＰＡＮ識別子（ＰＡＮ  ＩＤ）とすることができる。制御モジュール９０はまた、無線ネットワーク５２への参加を試みる１つ又は複数の周辺機器３０を認証するための制御論理も含む。具体的には、制御モジュール９０は、ＲＦ信号５０により無線ネットワーク５２への参加を試みる１つ又は複数の周辺機器３０に送信される認証符号を生成するための制御論理を含む。認証符号は、無線ネットワーク５２への参加を試みる周辺機器３０とゲートウェイ２４との間のセキュアな接続を可能にする情報を含む。例えば、認証符号は、パスキー（ｐａｓｓｋｅｙ）とも呼ばれるセキュリティ識別番号を含むことができる。１つの実施形態において、パスキーは、４桁の数字とすることができる。
【００２０】
ゲートウェイ２４の制御モジュール９０はまた、ＲＦ信号５０により１つ又は複数の周辺機器３０に送信される識別子を生成するための制御論理を含むこともできる。識別子は、ゲートウェイ２４の所定の設定を示すデータ又は情報を含む。所定の設定は、ゲートウェイ２４の制御モジュール９０のメモリ内に格納される。当業者であれば、ゲートウェイは、例えば、無線ネットワーク５２に接続するために用いられる無線通信プロトコル、無線ネットワーク５２に接続することができる周辺機器のタイプ、又はオペレーティングシステムのタイプ（すなわち、Ｌｉｎｕｘ(登録商標)）などの所定の設定を含むことができることを容易に理解するであろう。具体的には、１つの実施形態において、所定の設定は、ゲートウェイ２４の製造業者及び型番に特有のものである。以下でより詳細に説明されるように、無線ネットワーク５２への参加を試みる周辺機器３０は、識別要求をゲートウェイ２４又は無線ネットワーク５２内の別の周辺機器３０に送信することができる。周辺機器３０から識別要求を受信することに応答して、ゲートウェイ２４の制御モジュール９０は、識別子を生成することができる。
【００２１】
ゲートウェイ２４の製造業者は、ゲートウェイ２４の少なくとも部分を生成し、次に、部分又はアセンブリのいずれかを別のエンティティに供給するエンティティとすることができることを理解されたい。別のエンティティは、エンドユーザへのゲートウェイ２４の提供を担当する販売業者としてもよい。或いは、別の実施形態においては、ゲートウェイ２４の製造業者が、エンドユーザにゲートウェイ２４を提供する販売業者であってもよい。
【００２２】
周辺機器３０の各々は、制御モジュール１００及びアンテナ素子１０２を含む。アンテナ素子１０２はまた、ＲＦ信号５０を、ゲートウェイ２４との間で送受信することができる。アンテナ素子１０２はまた、ＲＦ信号５０を、無線ネットワーク５２内の他の周辺機器３０から送受信することもできる（すなわち、無線ネットワーク５２内に配置された別の照明器具又は占有センサから送受信）。
【００２３】
図３は、周辺機器３０の１つのシステムブロック図である。周辺機器３０の制御モジュール１００は、周辺機器３０がゲートウェイ２４との安全なネットワーク接続を確立することを可能にする複数のモジュールを含むことができる。具体的には、制御モジュール１００は、オペレーティングシステムを格納するための１つ又は複数の不揮発性メモリユニットと、接続モジュール１１０、ネットワークモジュール１１２、要求モジュール１１４及び構成論理１１６を格納するためのソフトウェア又はファームウェアとを含むことができる。以下でより詳細に説明されるように、制御モジュール１００の構成論理１１６により、ゲートウェイデバイス２４の特定の製造業者及び型番に基づいて、周辺機器３０が構成１２０を選択することが可能になる。
【００２４】
図３に見られるように、周辺機器３０の制御モジュール１００は、該制御モジュール１００のメモリに格納された複数の構成１２０を含む。例えば、図３に示される実施形態において、制御モジュール１００は、データストア１５０内に、構成１、構成２及び構成３を格納する。しかしながら、図３は、事実上単なる例示に過ぎず、任意の数の構成を同様に含み得ることを理解されたい。構成論理１１６は、構成１２０の各々とデータ通信している。
【００２５】
制御モジュール１００のメモリ内に格納された構成１２０の各々は、ゲートウェイデバイス２４の特定の製造業者及び型番に特有の属性又は規則の組を定める。換言すれば、周辺機器３０の制御モジュール１００は、市販の多数の異なるゲートウェイデバイスに対応又は適合する任意の数の構成を格納することができる。したがって、周辺機器３０は、現在入手可能な任意の数のゲートウェイとの通信を確立し、これと接続することが可能であり得る。以下でより詳細に説明されるように、ゲートウェイ２４の制御モジュール１００の構成論理１１６は、無線ネットワーク５２内のゲートウェイ２４の特定の製造業者及び型番に基づいて、構成１２０の１つを選択し、アクティブにする。
【００２６】
図２〜図３の両方を参照すると、初めて特定の周辺機器３０に電源投入すると、又は工場出荷時設定へのリセット(factory reset)後、周辺機器３０の接続モジュール１１０は、アンテナ素子１０２を無線信号と接続するための接続信号を生成する。具体的には、接続信号は、周辺機器３０のアンテナ素子１０２をＲＦ信号５０と接続するために用いられる。ひとたびアンテナ素子１０２がＲＦ信号５０と通信状態になると、接続モジュール１１０は、無線ネットワーク５２を通して検索信号を送信し、無線ネットワーク５２の親ノード（すなわち、ゲートウェイ２４）を突き止める。
【００２７】
ひとたび周辺機器３０によりゲートウェイ２４が突き止められると、接続モジュール１１０は、ネットワーク識別子の要求をゲートウェイ２４に送信する。上述のように、ゲートウェイ２４の制御モジュール９０は、周辺機器３０からネットワーク識別子の要求を受信したことに応答して、ネットワーク信号を生成することができる。ネットワーク信号は、ネットワーク識別子を含む。ひとたび周辺機器３０の接続モジュール１１０がネットワーク識別子を受信すると、接続モジュール１１０は、信号１２１をネットワークモジュール１１２に送信することができる。信号１２１は、ゲートウェイ２４から受信したネットワーク識別子を含む。
【００２８】
ネットワークモジュール１１２は、接続モジュール１１０から信号１２１を受信したことに応答して、認証要求をゲートウェイ２４のアンテナ９４に送信することができる。ひとたびゲートウェイ２４の制御モジュール９０が、周辺機器３０のネットワークモジュール１１２から認証要求を受信すると、ゲートウェイ２４の制御モジュール９０は、ＲＦ信号５０により周辺機器３０のアンテナ１０２に送信される認証符号を生成するための制御論理を含む。上述のように、認証符号は、例えば、無線ネットワーク５２のためのパスキーなどの情報を含む。
【００２９】
ひとたび周辺機器３０のネットワークモジュール１１２がゲートウェイ２４から認証符号を受信すると、周辺機器３０のネットワークモジュール１１２は、信号１２２を要求モジュール１１４に送信することができる。信号１２２は、例えば、無線ネットワーク５２のためのパスキーのような認証符号からの情報を含む。要求モジュール１１４は、ネットワークモジュール１１２から信号１２２を受信したことに応答して、識別要求をゲートウェイ２４に送信することができる。識別要求は、ゲートウェイ２４の所定の設定（すなわち、特定の製造業者及び型番）を要求するものであり得る。
【００３０】
ゲートウェイ２４の製造業者及び型番を取得するために用いることができる様々な異なる手法があることを理解されたい。例えば、１つの実施形態において、識別要求は、ゲートウェイデバイス２４の特定の製造業者及び型番について、ゲートウェイ２４の制御モジュール９０に問い合わせを行うことがある。識別要求を受信すると、ゲートウェイデバイス２４のプロセッサ９０は、識別子を生成することができる。識別子は、ゲートウェイ２４の製造業者及び型番を含む。ゲートウェイ２４の制御モジュール９０によって生成された識別子は、周辺機器３０の制御モジュール１００に送信される。
【００３１】
別の実施形態において、識別要求は、公的に入手可能な又は標準的に入手可能なゲートウェイ２４のクラスタと関連した属性の要求を含むことができる。例えば、ゲートウェイ２４と関連した異なる属性及びコマンドは、標準的に入手可能なクラスタにおけるゲートウェイ２４の制御モジュール９０のメモリ内に格納することができる。１つの実施形態において、標準的に入手可能なクラスタは、製造業者名（Ｍａｎｕｆａｃｔｕｒｅｒ  Ｎａｍｅ）属性、及び、型番（Ｍｏｄｅｌ  Ｎｕｍｂｅｒ）属性を含む基本クラスタ（Ｂａｓｉｃ  Ｃｌｕｓｔｅｒ）とすることができる。当業者であれば、基本クラスタは、２０１２年５月のＺｉｇｂｅｅ（登録商標）クラスタライブラリ仕様（Ｃｌｕｓｔｅｒ  Ｌｉｂｒａｒｙ  Ｓｐｅｃｉｆｉｃａｔｉｏｎ）、Ｚｉｇｂｅｅ（登録商標）標準機構（Ｓｔａｎｄａｒｄｓ  Ｏｒｇａｎｉｚａｒｉｏｎ）において規定されるような０×００００と等しいクラスタＩＤを含むことを容易に理解するであろう。さらに、基本クラスタは、Ｚｉｇｂｅｅ（登録商標）無線通信プロトコルをサポートするいずれかのデバイス内に存在する。
【００３２】
周辺機器３０から識別要求を受信すると、ゲートウェイデバイス２４のプロセッサ９０は、識別子を生成することができる。ゲートウェイ２４の制御モジュール９０によって生成された識別子は、基本クラスタの製造業者名属性及び型番属性を含む。ゲートウェイ２４の制御モジュール９０によって生成された識別子は、周辺機器３０の制御モジュール１００に送信される。ゲートウェイ２４から識別子を受信すると、周辺機器３０の制御モジュール１００の要求モジュール１１４は、基本クラスタをデコードし、ゲートウェイ２４の製造業者及び型番を取得するための制御論理を含む。
【００３３】
別の実施形態において、識別要求は、ゲートウェイ２４のノードデスクリプタの要求を含むことができる。具体的には、ゲートウェイ２４の制御モジュール９０のメモリは、複数のノードデスクリプタ（すなわち、ノードデスクリプタ、ノードパワーデスクリプタ、シンプルデスクリプタ、コンプレックスデスクリプタ、及びユーザデスクリプタ）を含むことができる。識別要求を受信すると、ゲートウェイデバイス２４のプロセッサ９０は、ノードデスクリプタを含む識別子を生成することができる。ゲートウェイ２４の制御モジュール９０によって生成される識別子は、周辺機器３０の制御モジュール１００に送信される。ゲートウェイ２４から識別子を受信すると、周辺機器３０の制御モジュール１００の要求モジュール１１４は、ノードデスクリプタをデコードし、ゲートウェイ２４の製造業者及び型番を取得するための制御論理を含む。
【００３４】
さらに別の実施形態において、識別要求は、ゲートウェイのアプリケーション又はソフトウェアＩＤの要求を含む。具体的には、ゲートウェイ２４の制御モジュール９０のメモリは、アプリケーション又はソフトウェアＩＤを含むことができる。ソフトウェアＩＤは、ゲートウェイ２４に特有のものである。具体的には、ソフトウェアＩＤは、ゲートウェイデバイス２４の製造業者及び型番に特有のものである。認証要求を受信すると、ゲートウェイデバイス２４のプロセッサ９０は、ソフトウェアＩＤを含む識別子を生成することができる。ゲートウェイ２４の制御モジュール９０によって生成された識別子は、周辺機器３０の制御モジュール１００に送信される。ゲートウェイ２４から識別子を受信すると、周辺機器３０の制御モジュール１００の要求モジュール１１４は、ソフトウェアＩＤをデコードし、ゲートウェイ２４の製造業者及び型番を取得する。
【００３５】
或いは、別の実施形態において、ソフトウェアＩＤは、ルータ２２の制御モジュール８０のメモリ内に格納することができる。周辺機器３０から識別要求を受信すると、ゲートウェイ２４のプロセッサ９０は、ソフトウェアＩＤに関して、ルータ２２の制御モジュール８０に問い合わせを行うことができる。ルータ２２の制御モジュール８０は、ソフトウェアＩＤを、ＲＦ信号３２によりゲートウェイ２４の制御モジュール１００に送信することができる。ひとたび制御モジュール１００がルータ２２からソフトウェアＩＤを受信すると、ゲートウェイ２４の制御モジュール９０は次に、識別子を周辺機器３０の制御モジュール１００に送信することができる。ゲートウェイ２４から識別子を受信すると、周辺機器３０の制御モジュール１００の要求モジュール１１４は次に、ソフトウェアＩＤをデコードし、ゲートウェイ２４の製造業者及び型番を取得する。
【００３６】
さらに別の実施形態において、識別要求は、ゲートウェイデバイス２４の特定の製造業者及び型番に関して、無線ネットワーク５２内のゲートウェイ２４以外のデバイスに問い合わせを行うことができる。例えば、識別要求は、クエリ信号を、無線ネットワーク５２に接続された、例えば無線占有センサ（図示せず）又は周辺機器３０の別のものなどの別のデバイスにクエリ信号を送信するよう、ゲートウェイ２４に命令することができる。クエリ信号を受信すると、デバイス（図示せず）の制御モジュールは、識別子を生成することができる。識別子は、ゲートウェイ２４の製造業者及び型番を含む。識別子をデバイスから直接、ゲートウェイ２４の製造業者及び型番を要求している周辺機器３０に送信することができ、或いは、識別子をゲートウェイ２４の制御モジュール９０に送り返すこともできる。ゲートウェイ２４の制御モジュール９０は次に、識別子を周辺機器３０の制御モジュール１００に送信することができる。
【００３７】
続けて図２及び図３を参照すると、ひとたび周辺機器３０の要求モジュール１１４が、ゲートウェイ２４の製造業者及び型番を示す識別子を受信すると、次いで、要求モジュール１１４は、信号１２４を構成論理１１６に送信することができる。信号１２４は、ゲートウェイ２４の製造業者及び型番を含む。構成論理１１６は、要求モジュール１１４から信号１２４を受信したことに応答して、アクティブにすべき特定の構成１２０を選択又は決定することができる。構成論理１１６は、ゲートウェイ２４の特定の製造業者及び型番に基づいて、特定の構成１２０を選択する。例えば、１つの実施形態において、構成論理１１６は、周辺機器３０の制御モジュール１００のメモリ内のデータストア１５０内を検索することができる。データストア１５０は、各構成１２０が関連付けられる製造業者及び型番を示す。例えば、１つの実施形態において、データストア１５０は、周辺機器３０の制御モジュール１００のメモリ内に格納された各構成１２０の製造業者及び型番を格納するルックアップテーブルを含むことができる。
【００３８】
ひとたび制御モジュール１００の構成論理１１６が特定の構成１２０を決定すると、次に、構成論理１１６は、特定の構成１２０をアクティブにすることができる。制御モジュール１００のメモリ内に格納された構成１２０の各々は、周辺機器３０とゲートウェイ２４との間の通信のために従う必要がある属性又は規則のグループを表わす。構成１２０内に含み得る属性の幾つかの例は、デバイスが無線ネットワーク５２に入るときの動作(behavior)、デバイスがネットワークから離れるときの動作、及び調光移行速度（すなわち、迅速調光、低速調光等）を含む、しかしこれらに限定されない。例えば、周辺機器３０が照明器具である場合には、照明器具がネットワークに入ったときの動作は、ネットワーク接続が確立されたことを示す特定のパターンのフラッシュ（すなわち、照明器具が３回点滅する）を含むことができる。照明器具がネットワークを離れるときの動作も同様に特定のパターンのフラッシュを含むことができる。
【００３９】
ひとたび特定の構成１２０がアクティブにされると、制御モジュール１００の構成論理１１６は、ゲートウェイ２４の製造業者及び型番に特有の制御モジュール１００のメモリ内のファームウェアの１つ又は複数のブロックをアクティブにすることができる。ゲートウェイ２４の製造業者及び型番に特有ではない周辺機器３０の制御モジュール１００のメモリ内に格納されたファームウェアの他のブロックは、アクティブにされないままにできることを理解されたい。換言すれば、特定の構成１２０がアクティブにされると、複数の他の随意的な経路の代わりに、特定の論理経路がとられる。ひとたびゲートウェイ２４の製造業者及び型番に特有のファームウェアのブロックがアクティブにされると、次いで、周辺機器３０の制御モジュール１００は、無線ネットワーク５２を通じてゲートウェイ２４と無線通信状態になる。したがって、ひとたび周辺機器３０とゲートウェイ２４との間に通信が確立されると、携帯用電子デバイス２０は今や、特定の構成１２０によって定められる属性のグループに基づき、無線ネットワーク５２内に含まれる周辺機器３０と通信することができる。例えば、ユーザは、携帯用電子デバイス２０のタッチスクリーン３４を操作して、周辺機器３０の色、調光、又はこれに対する電源を制御することができる。
【００４０】
図４Ａ〜図４Ｂは、特定の周辺機器３０内の特定の構成をアクティブにするための方法２００を示す例示的なプロセスフロー図を示す。全体的に図１〜図４Ｂを参照すると、方法２００は、ブロック２０２で始まることができる。ブロック２０２において、初めて特定の周辺機器３０に電源投入する、又は周辺機器３０のファクトリーリセットを行う。次に、方法２００は、ブロック２０４に進むことができる。
【００４１】
ブロック２０４において、周辺機器３０の接続モジュール１１０は、アンテナ素子１０２をＲＦ信号５０と接続するための接続信号を生成する。ひとたびアンテナ素子１０４がＲＦ信号５０と接続されると、方法２００は次に、ブロック２０６に進むことができる。
【００４２】
ブロック２０６において、接続モジュール１１０は、無線ネットワーク５２の親ノード（すなわち、ゲートウェイ２４）を突き止めるために、無線ネットワーク５２を通じて検索信号を送信する。ひとたび周辺機器３０によりゲートウェイ２４が突き止められると、方法２００は次に、ブロック２０８に進むことができる。
【００４３】
ブロック２０８において、接続モジュール１１０は、ネットワーク識別子の要求をゲートウェイ２４に送信する。ひとたび周辺機器３０の接続モジュール１１０がネットワーク識別子を受信すると、方法２００は次に、ブロック２１０に進むことができる。
【００４４】
ブロック２１０において、接続モジュール１１０は、信号１２１をネットワークモジュール１１２に送信する。信号１２１は、ネットワーク識別子を含む。方法２００は、次に、ブロック２１２に進むことができる。
【００４５】
ブロック２１２において、ネットワークモジュール１１２は、認証要求をゲートウェイ２４に送信する。ひとたびゲートウェイ２４が周辺機器３０のネットワークモジュール１１２から認証要求を受信すると、方法２００は次に、ブロック２１４に進むことができる。
【００４６】
ブロック２１４において、ゲートウェイ２４の制御モジュール９０は、ＲＦ信号５０により周辺機器３０のアンテナ１０２に送信される認証符号を生成する。ひとたび周辺機器３０のネットワークモジュール１１２が、ゲートウェイ２４から認証符号を受信すると、方法は、ブロック２１６に進むことができる。
【００４７】
ブロック２１６において、周辺機器３０のネットワークモジュール１１２は、信号１２２を要求モジュール１１４に送信する。ひとたび要求モジュール１１４が信号１２２を受信すると、方法２００は次に、ブロック２１８に進むことができる。
【００４８】
ブロック２１８において、要求モジュール１１４は、識別要求をゲートウェイ２４に送信する。方法２００は次に、ブロック２２０に進むことができる。
【００４９】
ブロック２２０において、周辺機器３０の要求モジュール１１４は、ゲートウェイ２４の所定の設定（すなわち、特定の製造業者及び型番）を受信する。ゲートウェイ２４の製造業者及び型番を取得するのに用いることができる様々な異なる手法があることを理解されたい。方法２００は次に、ブロック２２２に進むことができる。
【００５０】
ブロック２２２において、要求モジュール１１４は、信号１２４を構成論理１１６に送信する。信号１２４は、ゲートウェイ２４の製造業者及び型番を含む。方法２００は次に、ブロック２２４に進むことができる。
【００５１】
ブロック２２４において、構成論理１１６は、選択すべき特定の構成１２０を決定する。例えば、１つの実施形態において、構成論理１１６は、データストア１５０内の検索を行って、特定の構成を決定する。ひとたび特定の構成が決定されると、方法２００は次に、ブロック２２６に進むことができる。
【００５２】
ブロック２２６において、構成論理１１６は、周辺機器３０の制御モジュール１００のメモリ内に格納された特定の構成１２０をアクティブにすることができる。方法２００は次に、ブロック２２８に進むことができる。
【００５３】
ブロック２２８において、周辺機器３０の制御モジュール１００は、無線ネットワーク５２を通じてゲートウェイ２４と通信状態にある。次に、方法２００は終了できる。
【００５４】
図２に戻ると、１つの実施形態において、ゲートウェイ２４は、無線ネットワーク５２を通じて周辺機器３０とゲートウェイ２４との間に無線通信が確立されたことに応答して、無線ネットワーク５２上で質問(interrogatory)要求を周辺機器３０に送信することができる。質問要求は、その製造業者及び型番に関して、周辺機器３０に問い合わせを行う。周辺機器３０の制御モジュール１００は、メモリに格納されたその製造業者及び型番を取得し、ゲートウェイ２４から質問要求を受信したことに応答して、ゲートウェイ２４に返す応答を生成することができる。ネットワーク５２によりゲートウェイ２４に送信された応答は、周辺機器３０と関連付けられた製造業者及び型番を含む。
【００５５】
次に、ゲートウェイ２４の制御モジュール９０は、周辺機器３０の製造業者及び型番をメモリ内に格納することができる。ひとたび無線通信が確立されると、ゲートウェイ２４は、ネットワーク５２に接続された周辺機器３０の各々に質問できることを理解されたい。ゲートウェイ２４の制御モジュール９０は、無線ネットワーク５２に接続された周辺機器３０の各々の製造業者及び型番をメモリに格納することができる。例えば、図２に示されるような実施形態において、無線ネットワーク５２に接続された周辺機器３０は全部で２つある。したがって、周辺機器３０の製造業者及び型番の両方とも、ゲートウェイ２４の制御モジュール９０のメモリ内に格納される。
【００５６】
続けて図２を参照すると、コンピュータネットワーク４０内に配置されたサーバ４４は、制御モジュール９０のメモリ内に格納された全ての周辺機器３０の製造業者及び型番についての、ゲートウェイ２４への要求を特定の頻度で生成することができる。１つの実施形態において、サーバ４４は、ゲートウェイ２４の製造業者によって所有又は制御することができる。特定の頻度は、例えば、毎週、２週間毎、又は毎月とすることができる。サーバ４４から要求を受信したことに応答して、ゲートウェイ２４の制御モジュール９０は、メモリを検索し、現在メモリ内に格納されている周辺機器３０の各々の製造業者及び型番を決定することができる。次に、ゲートウェイ２４は、ルータ２２及びコンピュータネットワーク４０を通じて無線ネットワーク５２内の周辺機器３０の総数を示す信号をサーバ４４に送信することができる。サーバ４４は、ネットワーク５２内の周辺機器３０の総数をメモリ内に格納することができる。
【００５７】
当業者であれば、サーバ４４は、特定の領域全体にわたって配置された多数のゲートウェイに接続できることを容易に理解するであろう。したがって、サーバ４４は、特定の領域内の特定の製造業者によって生成されたゲートウェイに現在接続されている周辺機器の総数を求めることが可能である。例えば、無線ネットワーク５２内に配置された２つの周辺機器３０が、例えば、オハイオ州Ａｕｒｏｒａ所在のＴｅｃｈｎｉｃａｌ  Ｃｏｎｓｕｍｅｒ  Ｐｒｏｄｕｃｔｓ  Ｉｎｃ．（ＴＣＰ）のような特定の製造業者によって生成される場合、サーバ４４は、この情報をメモリ内に格納する。サーバ４４はまた、特定の領域内の他のゲートウェイと通信して、ＴＣＰが製造するゲートウェイに接続された周辺機器の総数を求めることができる。
【００５８】
１つの実施形態において、サーバ４４はまた、周辺機器３０の製造業者（すなわち、ＴＣＰ）がゲートウェイの製造業者に対して負っている特許権使用料の総額(total royalty fee)を求めることもできる。特許権使用料の総額は、特定の領域内の特定の製造業者が製造したゲートウェイに接続されたＴＣＰにより製造された周辺機器の総数、及び、各周辺機器と関連付けられた個々の特許権使用料に基づいて求めることができる。
【００５９】
図５Ａは、光記憶装置３１０の平面図である。光記憶装置３１０は、コンパクトディスク（ＣＤ）、デジタル多用途ディスク（ＤＶＤ）、又はＢｌｕ−Ｒａｙディスクとすることができる。具体的には、光記憶装置３１０は、上述のソフトウェアコンポーネント及びコンピュータ実施可能プロセスをエンコードすることができるコンピュータ可読命令及びコンピュータ実行可能命令を保存するために使用することができる。
【００６０】
図５Ｂは、不揮発性メモリチップ３２０の平面図である。不揮発性メモリチップ３２０は、フラッシュメモリチップ又は電気的消去可能プログラマブルメモリ（ＥＥＰＲＯＭ）チップなどのメモリチップとすることができる。具体的には、不揮発性チップ３２０は、上述のソフトウェアコンポーネント及びコンピュータ実施可能プロセスをエンコードすることができるコンピュータ可読命令及びコンピュータ実行可能命令を保存するために、コンピューティングデバイスにおいて使用することができる。
【００６１】
図５Ｃは、不揮発性記憶装置３３０の斜視図である。不揮発性メモリチップ３３０は、フラッシュメモリチップ又はＥＥＰＲＯＭチップなどのメモリチップとすることができる。具体的には、不揮発性メモリチップ３３０は、１つのマシンから別のマシンへの伝送又は転送の際に、上述のソフトウェアコンポーネント及びコンピュータ実施可能プロセスをエンコードすることができるコンピュータ可読命令及びコンピュータ実行可能命令を保存するために、コンピューティングデバイスと共に使用することができる。
【００６２】
図５Ｄは、ハードディスクドライブ３４０の斜視図である。ハードディスクドライブ３４０は、１つ又は複数の磁気プラッタを含むことができ、又は、ソリッドステート・ハードドライブとすることができる。具体的には、ハードディスクドライブ３４０は、上述のソフトウェアコンポーネント及びコンピュータ実施可能プロセスをエンコードすることができるコンピュータ可読命令及びコンピュータ実行可能命令を保存するために、コンピューティングデバイスで使用することができる。
【００６３】
全体的に図を参照すると、開示された周辺機器は、現在入手可能な様々なタイプのゲートウェイに無線で接続するための比較的単純で費用効果の高い手法を提供する。当業者であれば、照明の製造業者は、一般的に、単一の無線プロトコル及び特定の製造業者により作製された単一のタイプのゲートウェイデバイスとしか適合しない照明器具を生成することを容易に理解するであろう。対照的に、開示された周辺機器は、無線ネットワーク内の特定のゲートウェイと関連付けられた特定の製造業者及び型番に基づき動的に構成することができる。結果として、エンドユーザはもはや、単一のゲートウェイデバイスとしか適合しない専用の電球を購入する必要がなくなる。
【００６４】
本明細書で説明される装置及び方法の形態は本発明の好ましい実施形態を構成するが、本発明は、これらの装置及び方法の正確な形態に限定されるものではなく、本発明の範囲から逸脱することなく、そこに変更を行い得ることを理解されたい。
【符号の説明】
【００６５】
１０：制御システム
２０：携帯用電子デバイス
３０：周辺機器
３２：無線周波数（ＲＦ）信号
３４：タッチスクリーン
４０：コンピュータのネットワーク
４２：ネットワーク接続
５０：第２のＲＦ信号
５２：無線ネットワーク
６２、８２、１０２：アンテナ素子
９２：第１のアンテナ素子
９４：第２のアンテナ素子
１２１、１２２、１２４:信号
２００：方法
３１０：光記憶装置
３２０：不揮発性メモリチップ
３３０：不揮発性記憶装置
３４０：ハードディスクドライブ
【図１】
2016119658.tif 000003
【図２】
2016119658.tif 000004
【図３】
2016119658.tif 000005
【図４Ａ】
2016119658.tif 000006
【図４Ｂ】
2016119658.tif 000007
【図５Ａ】
2016119658.tif 000008
【図５Ｂ】
2016119658.tif 000009
【図５Ｃ】
2016119658.tif 000010
【図５Ｄ】
2016119658.tif 000011
【外国語明細書】
2016119658000001.pdf